(57)【要約】【課題】  低コストでの製作を可能とする簡単な構造を具備し、スイングの筋力向上と、バランスの取れたスイングを併せて習得できるゴルフスイング練習具を提供する。【解決手段】  グリップ１と、シャフト２と、シャフト２の先端に取付用部材３を介して、内部に流体を収容可能な容器本体４を取り付け、ゴルフスイング練習具とする。容器本体４には市販の飲料用のＰＥＴボトルを転用し、取付用部材３に設けられた雌ネジに、ＰＥＴボトル開口部に付属する雄ネジを係合させて取り付ける。容器本体には液体、または鋼球や砂などの小粒の固体を充填して重量を調整する。【選択図】図１
0003156470.tif 000002
【実用新案登録請求の範囲】
【請求項１】
グリップ部と、シャフト部と、前記シャフト部の先端に取付用部材を介して取り付けられ、内部に流体を収容し得る容器を有するゴルフスイング練習具であって、前記容器は、前記容器の開口部に設けられてなる雄ネジと、前記取付用部材に設けられてなる雌ネジとの係合により、取り付けられてなることを特徴とするゴルフスイング練習具。
【請求項２】
前記容器は、高分子材料からなる飲料用の瓶であることを特徴とする、請求項１に記載のゴルフスイング練習具。
【考案の詳細な説明】
【技術分野】
【０００１】  本考案は、ゴルフのスイングの練習具の関わるもので、さらに詳しくは、ヘッド部の重さを一定の範囲で任意に調整できるものに関する。
【背景技術】
【０００２】  ゴルフに用いるクラブは、金属製のパイプやカーボンファイバー製のロッドからなるシャフトの先端に、ヘッドが取り付けられた構造で、ヘッドの重心の位置がシャフトの芯の延長上にはなく、しかもボールを打つ部分が平面なので、正しくスイングしてボールを打つには、それ相応の熟練を要する。また、飛距離を伸ばすには、スイングのスピードを増加することや、それに必要な筋力を身に付ける必要がある。【０００３】  このために、種々の練習具が開発されている。例えば特許文献１には、通常のゴルフクラブに仮想シャフトと称する棒状の部材を、クラブ本体のシャフトと平行に取り付けたゴルフスイング練習具が開示され、これを用いることにより、ゴルフクラブの重心のコントロール技術が習得できるとしている。【０００４】  また、特許文献２には、ヘッドに近接した位置に着脱可能で、流体が収容可能な容器を、シャフトに取り付けることが可能な、ゴルフスイング練習具が開示されていて、同様にゴルフクラブのコントロール技術が習得できるとしている。【０００５】  しかしながら、特許文献１に開示されているゴルフスイング練習具は、重量の調整が実質的に不可能なので、筋力トレーニングには必ずしも適してはいない。また、特許文献２に開示されているゴルフスイング練習具は構造が複雑で、製造コスト低減が困難である。
【先行技術文献】
【特許文献】
【０００６】
【特許文献１】  特開２００８−１８８４１０号公報
【特許文献２】  特表２００７−５０２１７６号公報
【考案の概要】
【考案が解決しようとする課題】
【０００７】  従って、本考案の課題は、低コストでの製作を可能とする簡単な構造を具備し、スイングの筋力向上と、バランスの取れたスイングを併せて習得できるゴルフスイング練習具を提供することにある。
【課題を解決するための手段】
【０００８】  本考案は、前記課題解決のため、シャフトの先端部に、簡便に着脱が可能で、しかも重量の調整も簡単にできる錘を取り付けることを検討した結果なされたものである。【０００９】  即ち、本考案は、グリップ部と、シャフト部と、前記シャフト部の先端に取付用部材を介して取り付けられ、内部に流体を収容し得る容器を有するゴルフスイング練習具であって、前記容器は、前記容器の開口部に設けられてなる雄ネジと、前記取付用部材に設けられてなる雌ネジとの係合により、取り付けられてなることを特徴とするゴルフスイング練習具である。【００１０】  また、本考案は、前記容器が、高分子材料からなる飲料用の瓶であることを特徴とする、前記のゴルフスイング練習具である。
【考案の効果】
【００１１】  本考案のゴルフスイング練習具は、グリップとシャフトに、市販のゴルフクラブを転用することが可能で、基本的に雌ネジを有する容器の取付用部材を調製するだけで得られるものである。錘として用いる容器には、やはり市販の飲料容器、より具体的にはＰＥＴボトルを転用できる。【００１２】  従って、本考案のゴルフスイング練習具は、低コストで提供可能であり、場所や時間に制限されることなく、ゴルフスイングの練習に用いることができる。また、容器に収容する流体には、取り扱いや入手が容易な水を用いるのが望ましいが、小型の容器で重量を大きくしたい場合は、例えばボールベアリングに用いる鋼球を充填したり、砂を充填したりすることも可能である。要するに、流動性を有するものであれば、固体の小粒でも使用可能である。
【図面の簡単な説明】
【００１３】
【図１】  本考案に係るゴルフスイング練習具の一例を示す概略図。
【図２】  シャフト部分と容器部分の詳細を示す図、図２（ａ）はシャフト部分、図２（ｂ）は容器部分。
【考案を実施するための形態】
【００１４】  次に、具体的な図を用いて、本考案を実施するための形態について、説明する。
【００１５】  図１は、本考案に係るゴルフスイング練習具の一例を示す概略図である。また図２は、図１に示したゴルフスイング練習具のシャフト部分と容器部分の詳細を示す図で、図２（ａ）はシャフト部分、図２（ｂ）は容器部分である。
【００１６】  図１及び図２において、１はグリップ、２はシャフト、３は取付用部材、４は容器本体、５は固定リング、６は取付用部材の雌ネジ部、７は容器開口部の雄ネジである。
【００１７】  この例において、グリップ１及びシャフト２は、市販のゴルフクラブのヘッドを取り外したものを用いることができるし、規格品の金属製パイプを適当な長さに切断して、グリップとなる部分に、布製やゴム製のテープを適宜巻きつけたものを用いることができる。
【００１８】  また、取付用部材３は、切削や研削が比較的容易な、アルミニウムや真鍮などの金属製のロッドに、旋盤を用いて加工を施し、全体形状や雌ネジを形成することで得られる。この場合も、材料として、金属ではなく適当な高分子材料を用いることができるが、機械的な強度などを考慮すると、例えばポリアセタールのような、高強度を備えた、いわゆるエンジニアプラスチックを用いることが望ましい。
【００１９】  取付用部材３をシャフト２の先端に取り付ける際には、スイングに伴う遠心力で、容器本体４がシャフト２の先端から飛び出さないように、固定リング５を用いる。これにも金属製あるいは高分子材料製を用いることができる。固定リング５のシャフト２への固定には、接着剤による接着を用いてもよいが、取付用部材３の着脱を考慮すると、固定リング５の外周から内周に向けて雌ネジを切り、六角穴付き止めネジを用いるのが望ましい。
【００２０】  ここに示した容器には、市販の飲料に用いられているＰＥＴボトルを転用する。これによって廃品の有効利用にも寄与することができる。容量は水を収容する場合では、１〜２リットルが適当であり、重量を大きくしたり、容器を小型化したりする場合は、全述のように鋼球を詰めて用いることもできる。
【００２１】  以上に説明したように、本考案によれば、低コストで大きな練習効果が得られる、ゴルフスイング練習具が得られる。なお、本考案は、前記実施の形態に限定されるものではなく、例えば容器にＰＥＴボトル以外のものを用いるような、本考案の分野における通常の知識を有する者であれば想到し得る、各種変形、修正を含む要旨を逸脱しない範囲の設計変更があっても、本考案に含まれることは勿論である。
【符号の説明】
【００２２】  １  グリップ
２  シャフト
３  取付用部材
４  容器本体
５  固定リング
６  取付用部材の雌ネジ部
７  容器開口部の雄ネジ
【図１】
0003156470.tif 000003
【図２】
0003156470.tif 000004